(57)【要約】【課題】  小型化、構造簡単、低価格化、取扱い容易を可能とするシャッタ付電気コネクタを提供することを目的とする。【解決手段】  相手コネクタ６０との嵌合のための開口部が前方に向け形成されているコネクタ１０であって、ハウジング２１の外面に取りつけられた金属板製のシールドケース３０と、上記開口部に対し開閉自在に設けられて相手コネクタの嵌合時に該相手コネクタに圧せられて開位置へ移動する蓋部５３，５４を有するシャッタ部材５０（５１，５２）と、該シャッタ部材を閉位置に向け付勢する付勢部材４０とを有するシャッタ付電気コネクタにおいて、付勢部材４０は、シールドケースと共に一部材をなす板ばね状の弾性腕部４２として形成されている。【選択図】  図１
2006185754.tif 000002
【特許請求の範囲】
【請求項１】
相手コネクタとの嵌合のための開口部が前方に向け形成されているコネクタであって、ハウジングの外面に取りつけられた金属板製のシールドケースと、上記開口部に対し開閉自在に設けられて相手コネクタの嵌合時に該相手コネクタに圧せられて開位置へ移動する蓋部を有するシャッタ部材と、該シャッタ部材を閉位置に向け付勢する付勢部材とを有するシャッタ付電気コネクタにおいて、付勢部材は、シールドケースと共に一部材をなす板ばね状の弾性腕部として形成されていることを特徴とするシャッタ付電気コネクタ。
【請求項２】
弾性腕部はシールドケースの後部につながる連絡部を介してハウジングの側端壁に沿って前方に延び、シャッタ部材は開口部に対応して位置する蓋部と該蓋部の端部から上記ハウジングの側端壁に沿って後方に延びる回動腕部とを有し、該回動腕部がハウジングもしくはシールドケースに設けられた回動支持部により回動自在に支持されており、上記弾性腕部の自由端もしくはその近傍に形成された当接部が上記回動支持部よりも前方位置で上記回動腕部をシャッタ部材の閉位置に向け付勢していることとする請求項１に記載のシャッタ付電気コネクタ。
【請求項３】
弾性腕部は当接部に切欠溝が形成されており、シャッタ部材の回動腕部の側縁が該切欠溝に入り込んでいて、該回動腕部が回動軌跡が描く面に対して側方への位置ずれが規制されていることとする請求項１又は請求項２に記載のシャッタ付電気コネクタ。
【請求項４】
弾性腕部は、板厚方向に曲げられて弾性撓みを助長する曲部を有していることとする請求項１ないし請求項３のうちの一つに記載のシャッタ付電気コネクタ。
【請求項５】
回動腕部は回動時に側縁が弾性腕部の当接部と当接する範囲でシャッタ閉位置に向けて傾斜する傾斜部を形成していることとする請求項１ないし請求項３のうちの一つに記載のシャッタ付電気コネクタ。
【請求項６】
シールドケースが前方に延出して外方に傾斜せる導入部を有し、シャッタ部材が蓋部の閉方向縁部に内方に傾斜する斜面部を有し、上記導入部が閉位置におけるシャッタ部材の蓋部の側方に形成された切欠部から前方に突出して、上記導入部の面と上記斜面部とで相手コネクタの導入案内を行うようになっていることとする請求項１又は請求項２に記載のシャッタ付電気コネクタ。
【請求項７】
ハウジングもしくはシールドケースはシャッタ部材の最大開度を規制する開位置規制部を有していることとする請求項１又は請求項２に記載のシャッタ付電気コネクタ。
【請求項８】
ハウジングもしくはシールドケースはシャッタ部材の閉位置を定める閉位置規制部を有していることとする請求項１、請求項２、請求項６、請求項７のうちの一つに記載のシャッタ付電気コネクタ。
【請求項９】
シャッタ部材は金属板を加工して作られていることとする請求項１、請求項２、請求項３、請求項６、請求項７、請求項８のうちの一つに記載のシャッタ付電気コネクタ。
【請求項１０】
シャッタ部材は一つ設けられ、弾性部材がこれに対応して設けられていることとする請求項１ないし請求項９のうちの一つに記載のシャッタ付電気コネクタ。
【請求項１１】
シャッタ部材は互いに対向して開閉するように二つ設けられ、弾性部材はそれぞれのシャッタ部材に対応して設けられていることとする請求項１ないし請求項９のうちの一つに記載のシャッタ付電気コネクタ。
【請求項１２】
相手コネクタとの嵌合のための開口部が前方に向け形成されているコネクタであって、上記開口部に対し開閉自在に設けられて相手コネクタの嵌合時に該相手コネクタに圧せられて開位置へ移動する蓋部を有するシャッタ部材と、該シャッタ部材を閉位置に向け付勢する付勢部材とを有するシャッタ付電気コネクタにおいて、付勢部材は、ハウジング若しくはハウジングに取付けられた部材への取付部を有し該取付部と共に一部材をなす板ばね状の弾性腕部をも備えていることを特徴とするシャッタ付電気コネクタ。
【発明の詳細な説明】
【技術分野】
【０００１】
本発明はシャッタ付電気コネクタに関する。
【背景技術】
【０００２】
電気コネクタは相手コネクタの嵌合接続のために開口部を有している。相手コネクタが常時接続されているのではなく、非接続状態があり、それもその状態が長い場合、外部からの塵埃等の侵入の防止のために、上記開口部に対してシャッタ部材を設けていることが多い。シャッタ部材は相手コネクタの接続時には、該相手コネクタに押されて開方向に移動して、該相手コネクタの嵌合を可能とする。
【０００３】
このようなシャッタ付電気コネクタとしては、例えば特許文献１に開示されている形式のものが知られている。この特許文献１のコネクタは開口部が横長な矩形状をなし、これに対して二つのシャッタ部材の蓋部が上下から対向して上記開口部を開閉する。二つのシャッタ部材は合成樹脂で作られていて側方に回動腕部を有し、シェル（シールドケース）が取りつけられているハウジングに設けられた軸体により回動自在に支持されている。該回動腕部には、ねじりコイルばねが設けられていて、シャッタ部材をその閉位置に向け付勢している。二つのシャッタ部材の蓋部同士はその対向縁で当接して閉状態をなし、該蓋部の一部に設けられた誘い部が相手コネクタにより押圧されると、シャッタ部材は、上記ねじりコイルばねの付勢力に抗して開位置に向け回動し、相手コネクタの嵌合を可能とする。
【特許文献１】特開２００４−７１４００
【発明の開示】
【発明が解決しようとする課題】
【０００４】
しかしながら、上述の特許文献１のコネクタにあっては、ねじりコイルばねを必要とするので、製造コストの増大、組立作業の煩雑化、コネクタの大型化、シャッタ部材の強度確保の困難性等において改善の余地を残している。
【０００５】
まず、シャッタ部材の他にコイルばねを必要とすることで、部品の保管・管理そして組立作業が煩雑となる。ねじりコイルばねは、組立時の扱いが面倒なことは周知である。
【０００６】
又、特許文献１では、ハウジングの側端側に、平面形状がコ字状の溝を形成してそこに軸体を設けて、該軸体でシャッタ部材の回動腕部を回動自在に支持している。この軸体にねじりコイルばねを設けて上記回動腕部に付勢力を与えている。このような構成では、ねじりコイルばねを配置するために軸体の軸線方向に大きなスペースを必要とし、結果としてコネクタの幅方向寸法が大きくなる。
【０００７】
本発明は、このような点をことごとく改善し、小型化、構造の簡単化による低価格化、取扱い容易化を可能とするシャッタ付電気コネクタを提供することを目的とする。
【課題を解決するための手段】
【０００８】
本発明に係るシャッタ付電気コネクタは、相手コネクタとの嵌合のための開口部が前方に向け形成されているコネクタであって、ハウジングの外面に取りつけられた金属板製のシールドケースと、上記開口部に対し開閉自在に設けられて相手コネクタの嵌合時に該相手コネクタに圧せられて開位置へ移動する蓋部を有するシャッタ部材と、該シャッタ部材を閉位置に向け付勢する付勢部材とを有する。
【０００９】
かかるシャッタ付電気コネクタにおいて、本発明では、付勢部材は、シールドケースと共に一部材をなす板ばね状の弾性腕部として形成されていることを特徴としている。
【００１０】
本発明では、ハウジングの外面に取りつけられるシールドケースの存在を利用してこれと一体的に付勢部材としてのの弾性腕部を形成して作られる。したがって、付勢部材が独立して別部材として作られないので、部品点数の低減、組立作業の簡単化をもたらす。
【００１１】
本発明において、弾性腕部はシールドケースの後部につながる連絡部を介してハウジングの側端壁に沿って前方に延び、シャッタ部材は開口部に対応して位置する蓋部と該蓋部の端部から上記ハウジングの側端壁に沿って後方に延びる回動腕部とを有し、該回動腕部がハウジングもしくはシールドケースに設けられた回動支持部により回動自在に支持されており、上記弾性腕部の自由端もしくはその近傍に形成された当接部が上記回動支持部よりも前方位置で上記回動腕部をシャッタ部材の閉位置に向け付勢しているように形成することができる。
【００１２】
この場合、弾性腕部は当接部に切欠溝が形成されており、シャッタ部材の回動腕部の側縁が該切欠溝に入り込んでいて、該回動腕部が回動軌跡が描く面に対して側方への位置ずれが規制されていることが好ましい。こうすることにより、シャッタ部材の回動腕部は、回動時に切欠溝での案内によって側方へのずれや外れが規制される。
【００１３】
付勢部材の弾性腕部は、板厚方向に曲げられて弾性撓みを助長する曲部を有していることが好ましい。こうすることにより、特に弾性腕部が延びる方向で該弾性腕部の小寸法化を可能としつつ、弾性力が確保できる。
【００１４】
また、回動腕部は回動時に側縁が弾性腕部の当接部と当接する範囲でシャッタ閉位置に向けて傾斜する傾斜部を形成していることが好ましい。こうすることにより、シャッタ部材が所定の開位置まで大きく開いても、弾性腕部はその変形が増大せず、該弾性腕部の負荷が抑制され、繰り返し変形を受けても疲労塑性変形が回避される。
【００１５】
また、本発明では、シールドケースが前方に延出して外方に傾斜せる導入部を有し、シャッタ部材が蓋部の閉方向縁部に内方に傾斜する斜面部を有し、上記導入部が閉位置におけるシャッタ部材の蓋部の側方に形成された切欠部から前方に突出して、上記導入部の面を上記斜面部とで相手コネクタの導入案内を行うようになっていることができる。
【００１６】
本発明では、ハウジングもしくはシールドケースはシャッタ部材の最大開度を規制する開位置規制部を有していることが好ましい。相手コネクタは、必ずしも正規の位置そして姿勢で嵌合されず、好ましくない状態で嵌合されようとしたとき、それによって、シャッタ部材を過度に開かれることが、上記ストッパ部により防止される。これはシャッタ部材の破損防止につながる。
【００１７】
本発明において、ハウジングもしくはシールドケースはシャッタ部材の閉位置を定める閉位置規制部を有していることとするならば、閉位置が一定する。
【００１８】
本発明において、シャッタ部材は金属板を加工して作られているようにすることができる。こうすることにより、開口部でのシールドができ、上記シールドケースと相俟って、シールドの完璧化を図れるし、シャッタ部材自体の小型（薄型）化を図れると共に、強度も増大する。
【００１９】
本発明において、シャッタ部材は一つ設けられ、弾性腕部がこれに対応して設けられているようにすることも、シャッタ部材は互いに対向して開閉するように二つ設けられ、弾性腕部がそれぞれのシャッタ部材に対応して設けられているようにすることもできる。
【００２０】
本発明は、シールドケースと付勢部材とが別部材となっている電気コネクタ、あるいはシールドケースを有していない電気コネクタにも適用可能である。
【００２１】
その場合は、相手コネクタとの嵌合のための開口部が前方に向け形成されているコネクタであって、上記開口部に対し開閉自在に設けられて相手コネクタの嵌合時に該相手コネクタに圧せられて開位置へ移動する蓋部を有するシャッタ部材と、該シャッタ部材を閉位置に向け付勢する付勢部材とを有するシャッタ付電気コネクタにおいて、付勢部材は、ハウジングへの取付部を有し該取付部と共に一部材をなす板ばね状の弾性腕部をも備えていることを特徴とする。
【発明の効果】
【００２２】
本発明は、以上のように、シャッタ部材を閉位置に向けて付勢する付勢部材をシールドケースとあるいはハウジングへの取付部と一体化し、すなわち一部材として形成することとしたので、従来のようなコイルばね部材を不要とし、その分、製造コストが安価になるのみならず、組立作業等も楽になる。しかも、付勢部材を支持するための特段の部材やスペースを必要とすることもないので、コネクタの小型化にもつながる。
【発明を実施するための最良の形態】
【００２３】
以下、添付図面の図１ないし図８にもとづき、本発明の実施形態について説明する。
【００２４】
＜第一実施形態＞
図１において、符号１０は本実施形態の電気コネクタ、符号６０は該コネクタ１０に嵌合接続される相手コネクタをそれぞれ示している。
【００２５】
コネクタ１０は、図５（Ａ），（Ｂ）に見られるように、絶縁材料から作られたハウジング２１に端子２２が保持されたコネクタ本体２０と、図１，図３（Ａ）〜（Ｃ）にも見られるように、このコネクタ本体２０に取りつけられた金属板製のシールドケース３０と、該シールドケース３０と一体に形成された付勢部材４０と、金属板で作られたシャッタ部材５０とを有している。
【００２６】
ハウジング２１は、図５（Ａ）に見られるように、コネクタ本体２０の後部で上記シールドケース３０をハウジング外面で保持する保持部２１Ａと、該保持部２１Ａから前方（図にて左方）へそして紙面に対して直角に延びる板状の配列部２１Ｂとを有している。端子２２は、クランク状に屈曲された細条片として作られており、中間部で上記ハウジング２１の保持部２１Ａへ圧入により保持され、前部が上記配列部２１Ｂの上面に配置された接触部２２Ａをなし、後部がハウジング２１外に突出して、下方そして横方向に順に屈曲してコネクタ本体２０の下面とほぼ同じレベルに接続部２２Ｂをなしている。かかる端子２２は、紙面に対し直角方向で所定間隔をもって複数配列されている。
【００２７】
上述のごとく、上記ハウジング２１の外周面に、付勢部材４０とともに一部材をなす上記シールドケース３０が取りつけられており、このシールドケース３０にシャッタ部材５０が開閉自在に支持されている（図２参照）。
【００２８】
シールドケース３０は、該シールドケース３０（及び付勢部材４０）そしてシャッタ部材５０のみを分離して示す図２に見られるように、金属板を加工して付勢部材４０と一体的に一部材として作られている。
【００２９】
上記シールドケース３０は、図１及び図２に見られるように、コネクタ本体２０のハウジング２１を包囲する角筒部３１と、該角筒部３１の前部開口の上下縁で外側に向け張り出すストッパ部３２Ａ，３２Ｂと、同じく上記前部開口の左右側縁で前方に突出した後に外方に斜めに屈曲せる導入部３３と、後部上面で左右に突出する片をなす取付部３４と、下面の左右端部で下方に突出する脚状の固定部３５と、さらには、左右の側壁の後部位置に該側壁から外側に向けて絞り出し加工して形成された回動支持部としての軸部３６とを有している。上記角筒部３１はハウジング２１を囲むように屈曲形成され、その底部での接合縁３１Ａで突き合せるようにして接合されている（図２参照）。上記角筒部３１の上面には上方の開位置規制部３２Ａの範囲から後方に延びる二本の案内溝３７が形成されている。
【００３０】
上記開位置規制部３２Ａ，３２Ｂは後述のシャッタ部材５１，５２と該シャッタ部材の開位置で当接してその最大開度を規制している。又、上記導入部３３は、その斜面で相手コネクタの導入を行うと共に、過大な外力に対しその上下縁が後述のシャッタ部材が閉位置で当接する閉位置規制部３３Ａ，３３Ｂとして機能する。これにより、相手コネクタを良好に案内し、接続できる。
【００３１】
上記シールドケース３０は、その側壁後端部で連絡部３８により付勢部材４０につながっている。この付勢部材４０は、板厚方向に曲げ加工を受けた略Ｃ字状の基部４１と、該基部４１から上下で前方にハウジングの側端壁に沿って前方へ中間位置まで延びる弾性腕部４２とを有している。この二つの弾性腕部４２は上下で対称をなして対向しており、上記基部４１との境界近くに互いにくびれを形成するような曲部４２Ａを有し、前端たる自由端には内側に屈曲された当接部４２Ｂが形成されている。該当接部４２Ｂの端縁には切欠溝４２Ｃが形成されている。かくして、上下二つの弾性腕部４２は上記基部を支点として、外力を受けて上下方向（板厚方向）に弾性撓み変形が可能となっている。上記曲部４２Ａは、その際、腕長を長くして弾性変形を助長する。この二つの弾性腕部４２は、両者の間に上記軸部３６に対して上下に位置している。又、前後方向では、曲部４２Ａが軸部３６に対し後方に、当接部４２Ｂが軸部３６に対し前方に、それぞれ位置している。
【００３２】
シャッタ部材５０は、金属板を加工して作れられており、図１そして図２にも見られるように、上シャッタ部材５１と下シャッタ部材５２とを有している。両シャッタ部材５１，５２は、上方からみた平面形状が共にコ字状をなし、前面に蓋部５３，５４そして該蓋部の長手方向端部から後方へ延びる回動腕部５５，５６をそれぞれ有している。上シャッタ部材５１と下シャッタ部材５２とは、前者が後者に比し両側の回動腕部同士の間隔が材料の板厚二枚分の寸法だけ長くなっているだけで、他は、互いに上下対称に作られている。したがって、両シャッタ部材５１，５２は両者の回動腕部５５，５６の板面が接面するように組まれることができるようになっている。このように両者は、上下対称な形態となっているので、ここでは、上シャッタ部材５１のみについて説明する。
【００３３】
上記上シャッタ部材５１の蓋部５３は、上記シールドケース３０の前面での上下の開位置規制部３２Ａ，３２Ｂと左右の導入部３３により囲まれた開口部の上半分の領域に対応して設けられており、該蓋部５３の下側は斜面部５３Ａ（図５（Ａ）参照）をなし上記開口部の内方に向いている。シャッタ部材５１は蓋部５３の側方に切欠部５３Ｃ，５３Ｄが形成されていて、ここから上記シールドケース３０の導入部３３が前方へ突出しており、該導入部３３と上記斜面部５３Ａとで、相手コネクタの導入案内を可能としている（図１、図２参照）。
【００３４】
上記蓋部５３の両端から後方（図にて右方）に延びる回動腕部５５は全体として、蓋部５３から下方に向かう屈曲腕をなし、その後端側に、孔部５５Ａが形成されている。該孔部５５Ａは、上記シールドケース３０に設けられた軸部３６に嵌合する内径となっている。該回動腕部５５は、その板厚方句に弾性を有し、該回動腕部５５の後端部が外側に撓むように外力を加えられた状態で上記孔部５５Ａを上記軸部３６に嵌合させた後に上記外力を除去し、上記シールドケース３０に組み立てられる。上シャッタ部材５１と上下対称な下シャッタ部材５２も同様に組み立てられる。
【００３５】
上記回動腕部５５の上側縁には、図４にも拡大して示されているように、上記弾性腕部４２の当接部４２Ｂが当接する被圧部５５Ｂが形成されている。該被圧部５５Ｂは上記弾性腕部４２の当接部４２Ｂからばね弾性圧を受ける部位をなし、シャッタ部材５１を閉位置に向け回動付勢する。この被圧部５５Ｂにおける当接部４２Ｂとの接触位置は、シャッタ部材５１の回動位置により前後に移動する。本実施形態は、この移動範囲において被圧部５５Ｂは、シャッタ部材の閉位置に向けて傾斜する傾斜部をなしている。
【００３６】
図１に見られる相手コネクタ６０は、本発明の対象とするところではないので、本発明であるコネクタ１０との係わり合いのある部分についてのみ、簡単に説明する。
【００３７】
図１そして図５（Ａ）に見られるように、相手コネクタ６０は、上記コネクタ１０へ嵌入接続される部分に、ハウジング６１の周囲にシールドケース６２が取付けられている。
【００３８】
上記ハウジング６１は、内部に紙面に板面が平行な板状の端子６３が左方から圧入される端子溝６４が紙面に直角方向に複数配列形成されており、右部ではこれらの複数の端子溝６４は連通していてコネクタ１０の板状の配列部２１Ｂが進入する空間６５を形成している。
【００３９】
端子６３は右端側で上記空間に位置する突状の接触部６３Ａと左端側でハウジング６１外に突出し屈曲せる接続部６３Ｂとを有している。
【００４０】
シールドケース６２はハウジングの左方へ突出する脚状の固定部６２Ａを有し、回路基板Ｐ２等がハウジングの左端面に接して配されたとき、該回路基板Ｐ２の対応溝に上記固定部６２Ａが嵌入し半田等で固定される。この回路基板Ｐ２には、上記接続部６３Ｂも対応回路部と半田等で接続される。
【００４１】
上記ハウジング６１には、図１、さらには図５に見られるように、端子の配列方向両端でコネクタ１０に向け突出する錐状のガイド突部６６が設けられている。このガイド突部６６は、コネクタ１０の上下シャッタ部材５１，５２をこれらの斜面部５３Ａ，５４Ａに当接して上下に開けると共に、コネクタ１０の両側の導入部３３に当接して上記端子の配列方向での両コネクタの相対位置づけがなされて上記コネクタ１０との正規位置での嵌合がなされる。又、シールドケース６２の上面には二本のスリットが形成されていて（図１参照）、ここにはハウジング６１の上面に形成された突条部６１Ａが突出している。この突条部６１Ａはコネクタ嵌合時に、上記コネクタ１０の案内溝３７により案内される。
【００４２】
次に、かかる実施形態のコネクタ１０と相手コネクタ６０との嵌合時におけるシャッタ部材５０（５１，５２）の開閉の様子を、図５及び図６にもとづいて説明する。なお、図６は、理解し易いように、シャッタ部材と付勢部材４０の弾性腕部４２のみを示した図である。
【００４３】
（１）本実施形態のコネクタ１０は回路基板Ｐ１に取りつけられており、一方、相手コネクタ６０は回路基板Ｐ２に取りつけられている。上記コネクタ１０の上下のシャッタ部材５１，５２は、回動腕部５５，５６が付勢部材４０の弾性腕部４２により圧せられて、蓋部５３，５４の斜面部５３Ａ，５４Ａの対向縁同士が当接し合い、コネクタ１０の開口部を閉じている。この閉位置は、過大な外力に対し、上記蓋部５３，５４の両側端部がシールドケース３０の導入部３３の上下縁である閉位置規制部３３Ａ，３３Ｂとそれぞれ当接して安定した位置出しがなされている。これにより、相手コネクタを良好に案内し、接続できる。
【００４４】
（２）相手コネクタ６０を上記コネクタ１０へ嵌入接続させる際、コネクタ６０の突出せるガイド突部６６が、コネクタ１０のシャッタ部材５１，５２の蓋部５３，５４に対し、該蓋部５３，５４の斜面部５３Ａ，５４Ａに当接してシャッタ部材５１，５２を上下に回動せしめてこれらを開く。シャッタ部材５１，５２はそれらの回動腕部５５，５６で弾性腕部４２から閉位置に向け付勢力を受けており、したがってシャッタ部材５１，５２の蓋部５３，５４は、上記付勢力に抗して開いて相手コネクタ６０の進入を許容しつつも、進入時に相手コネクタ６０のシールドケース６２に対し蓋部５３，５４の対向縁が接触している。このとき、相手コネクタ６０に帯電した静電気は、上記コネクタの上下シャッタ部材５１，５２、及びシールドケースの付勢部材４０、固定部３５を介して基板に接地される。蓋部を指で直接触った場合も同様に基板に接地される。上記対向縁が開位置規制部３２Ａ，３２Ｂに当接して、必要以上の開きが規制される。
【００４５】
（３）上記シャッタ部材５１，５２の開方向での回動中、弾性腕部４２の当接部４２Ｂが当接する位置、例えば、上方のシャッタ部材５１の回動腕部５５の傾斜せる被圧部５５Ｂにおける当接位置は、シャッタ部材の開度が大きくなるにつれて上記被圧部５５Ｂの範囲で前方へ移動する。上記被圧部５５Ｂはシャッタ部材の閉位置に向けて傾斜しているので、シャッタ部材５１の開度が増大していっても、弾性腕部４２の弾性変形は増大しない、あるいはあまり増大しない。したがって、弾性腕部４２には、過大な応力が生じないので、弾性腕部９２が塑性変形しない。
【００４６】
（４）相手コネクタ６０が所定位置までコネクタ１０内に進入すると、コネクタ６０の端子６３の接触部６３Ａがコネクタ１０の端子２２の接触部２２Ａと弾圧接触し、両コネクタ６０，１０が電気的に接続される。すなわち、両回路基板Ｐ１，Ｐ２が接続される。
【００４７】
（５）相手コネクタ６０をコネクタ１０から抜出すると、シャッタ部材５１，５２は、弾性腕部４２からの付勢力により、自ずと当初の閉位置に戻り、コネクタ１０の開口部を閉じる。
【００４８】
＜第二実施形態＞
本発明は、図１ないし図６に示された第一実施形態に限定されず、変形が可能である。第一実施形態では、シャッタ部材は二つのシャッタ部材を上下対称に設けていたが、いずれか一方、例えば、図７のように上方のシャッタ部材５１のみを有するようにしてもよい。図７において、第一実施形態と共通部位に同一符号を付して、その説明は省略する。本実施形態では、シャッタ部材５１は、上方に開くシャッタ部材のみなので、したがって弾性腕部４２も上側部分しか有していない。この場合、一つしか設けられていないシャッタ部材５１の蓋部５３の上下方向幅は、当然のことながら第一実施例の場合の蓋部５３の二倍のものとなる。
【００４９】
＜第三実施形態＞
第一実施形態では、付勢部材の弾性腕部はシールドケースと一体化されていたが、本発明は付勢部材がシールドケースと別部材となっているコネクタあるいはシールドケースを有しないコネクタにも適用できる。図８は、このような付勢部材を有しており、該付勢部材４０は、連絡部３８を介して取付部４４を有している。弾性腕部４２そしてシャッタ部材５１，５２は第一実施形態と同じなので、同一符号を付してその説明を省略する。
【００５０】
弾性腕部４０の基部４１から連絡部３８が延び、その先方に取付部４４が一体的に設けられている、該取付部４４はコ字状に屈曲されていて、平行な二つの取付片４５が形成されている。この取付片４５は、先端に向け細くなっていて略鏃状となっており、例えば、ハウジングのスリット状の対応溝へ圧入される。取付部４４は、この形態に限らず、ハウジングの側端壁に沿って平行に延びていても良い。又、本実施形態では、ハウジングに取付けているが、ハウジングに取付けられた部材、例えばシールドケースに取付けられていても良い。
【００５１】
本実施形態では、シャッタ部材５１，５２の回動腕部５５，５６を回動自在に支持する軸部３６は、上記取付部４４から延びる部分によって、あるいはハウジングに打ち込まれたピンによって形成することができる。
【図面の簡単な説明】
【００５２】
【図１】本発明の第一実施形態のコネクタと相手コネクタとを示す斜視図である。
【図２】図１のコネクタに取りつけられる付勢部材付きシールドケースとシャッタ部材のみをそれらの分離状態で示した斜視図である。
【図３】図１のコネクタを示し、（Ａ）は平面図、（Ｂ）は正面図、（Ｃ）は側面図である。
【図４】図１のコネクタのシャッタ部材と付勢部材の弾性腕部のみを抽出して示す斜視図である。
【図５】図１のコネクタと相手コネクタとを示す断面図で、（Ａ）は嵌合前、（Ｂ）は嵌合後を示す。
【図６】図１のコネクタのシャッタ部材と付勢部材の弾性腕部のみを抽出して示す図で、（Ａ）はシャッタ部材の閉状態、（Ｂ）は開状態を示す。
【図７】本発明の第二実施形態のコネクタを示し、（Ａ）は正面図、（Ｂ）は側面図である。
【図８】本発明の第三実施形態としての付勢部材をシャッタ部材と共に示す斜視図である。
【符号の説明】
【００５３】
１０  コネクタ                    ４２Ｂ  当接部
２１  ハウジング                  ４２Ｃ  切欠溝
３０  シールドケース              ４４  取付部
３２Ａ，３２Ｂ  開位置規制部      ５０（５１，５２）  シャッタ部材
３３Ａ，３３Ｂ  閉位置規制部      ５３，５４  蓋部      
３６  回動支持部（軸部）          ５５  回動腕部        
３８  連結部                      ５５Ｂ  傾斜部                  
４０  付勢部材                    ５６  回動腕部                    
４２  弾性腕部                    ５６Ｂ  傾斜部                  
４２Ａ  曲部                      
【図１】
2006185754.tif 000003
【図２】
2006185754.tif 000004
【図３】
2006185754.tif 000005
【図４】
2006185754.tif 000006
【図５】
2006185754.tif 000007
【図６】
2006185754.tif 000008
【図７】
2006185754.tif 000009
【図８】
2006185754.tif 000010